(57)【要約】【課題】ユーザーが必要とする複数の標準ガスを簡単に且つ低コストで調製できる標準ガス供給管を提供する。【解決手段】両方の端部１３、１４が閉塞し、一方の端部１３側に折欠き可能な折欠部１５が設けられているガラス管１２であって、該ガラス管１２の内部には、複数種類の有機溶剤を保持した担体１８が封入されている標準ガス供給管１１である。また、担体１８の少なくとも一方の端部には、通気性を有する隔壁材１９が配設されている。【選択図】      図１
2010101685.tif 000002
【特許請求の範囲】
【請求項１】
両方の端部が閉塞し、一方の端部側に折欠き可能な折欠部が設けられているガラス管であって、
該ガラス管の内部には、複数種類の有機溶剤を保持した担体が封入されていること
を特徴とする標準ガス供給管。
【請求項２】
前記担体の少なくとも一方の端部には、通気性を有する隔壁材が配設されていること
を特徴とする請求項１に記載の標準ガス供給管。
【発明の詳細な説明】
【技術分野】
【０００１】
本発明は、標準ガス供給管に関するものであり、更に詳しくは、例えば、ガスクロマトグラフ分析装置やセンサなどの計測器等の校正に使用される標準ガスの物質成分が封入された、標準ガス供給管に関するものである。
【背景技術】
【０００２】
従来、標準ガスを調製する手段として、次の１乃至３に示す方法が知られている。即ち、
１．高圧ガスボンベやプッシュ缶に充填された標準ガスを使用する方法、
２．パーミエーションチューブ（以下、Ｐ−チューブと称する）法により標準ガスを調製する方法、即ち、Ｐ−チューブはフッ素樹脂管に高純度の液化ガスを封入したものであり、これを一定温度に保持しつつ、一定量の希釈ガスを送ることで、連続して一定濃度の標準ガスが得られる、
３．ディフュージョンチューブ法により標準ガスを調製する方法、即ち、ディフュージョンチューブは所定内径の拡散管と液体を溜めるタンクとからなるガラス製容器であり、拡散管に液体成分を注入し、これを恒温に保持し、そこに一定量の希釈ガスを送ることで標準ガスが得られる、
等の方法が知られている（非特許文献１及び非特許文献２参照）。
【非特許文献１】株式会社ガステックのホームページ〈ＵＲＬ：http://www.gastec.co.jp/gnews/index.htm〉題名「ガステックNEWS  VOL.2、VOL.16、VOL.17」、検索日：平成２０年９月１日
【非特許文献２】株式会社ガステックのホームページ〈ＵＲＬ：http://www.gastec.co.jp/products/seihin/c3.htm〉題名「校正用ガス調製装置」、検索日：平成２０年９月１日
【発明の開示】
【発明が解決しようとする課題】
【０００３】
この従来例の、高圧ガスボンベ等を使用する場合においては、ガスボンベは重量が嵩んで携帯に不便であり、また専用の混合、希釈装置等を必要とし、コストが高く、その上高圧ガスを取り扱うには法的な制約があるという種々の問題点を有している。更にプッシュ缶においてはガスの種類が限られてしまう。
【０００４】
パーミエーションチューブ法及びディフュージョンチューブ法においては、専用の器具や装置等を必要として煩雑であり、またガスの調製には一定の熟練度や専門知識を必要とするという問題点を有している。
【０００５】
更に、上述の方法において、ユーザーが必要とする複数のガス種を選択して調製するには、複数種類のガスボンベや装置類が必要であり、その作業が極めて煩雑であるという欠点を有している。
【０００６】
従って、従来例における場合においては、簡便に且つ低コストで、しかもユーザーが必要とする複数種類の標準ガスを簡単に調製できるようにすることに解決しなければならない課題を有している。
【課題を解決するための手段】
【０００７】
前記従来例の課題を解決する具体的手段として本発明は、両方の端部が閉塞し、一方の端部側に折欠き可能な折欠部が設けられているガラス管であって、該ガラス管の内部には、複数種類の有機溶剤を保持した担体が封入されていることを特徴とする標準ガス供給管を提供するものである。
【０００８】
また、前記担体の少なくとも一方の端部には、通気性を有する隔壁材が配設されている構成としたものである。
【発明の効果】
【０００９】
本発明に係る標準ガス供給管は、両方の端部が閉塞し、一方の端部側に折欠き可能な折欠部が設けられているガラス管であって、該ガラス管の内部には、複数種類の有機溶剤を保持した担体が封入されていることによって、折欠部を折り欠いてその開口部をセプタムで施蓋してから、シリンジを使用して内部の気体を採取すれば、極めて簡便に標準ガスを調製できる。
しかも、標準ガス供給管には複数種類の有機溶剤が封入されているので、ユーザーが必要とする複数種類の標準ガスを選択的に簡単に調製できる。
また、標準ガス供給管は携帯に便利であり、従来例に比べてコストが低く、その上ガスの調製に特別な装置類や作業者の熟練度、専門知識が必要ないという種々の優れた効果を奏する。
【００１０】
また、担体の少なくとも一方の端部には、通気性を有する隔壁材が配設されていることによって、担体がガラス管の内部で安定的に保持されると共に、標準ガスの拡散がスムーズに生じるという優れた効果を奏する。
【発明を実施するための最良の形態】
【００１１】
次に、本発明の実施の形態について図面を参照しながら説明する。まず、図１において、符号１１は標準ガス供給管を示し、この標準ガス供給管１１は、透明なガラス管１２で形成されており、このガラス管１２の両方の端部１３、１４は閉塞され、一方の端部１３側に折欠き可能な折欠部１５が設けられている。
【００１２】
ガラス管１２は、寸法の一例を上げると内側直径が１〜１０mm程度であり、外側直径が３〜２０mm程度であり、全長が５０〜３００mm程度である。
【００１３】
折欠部１５は、折り目１６を介して設けられており、図２に示すように、この折り目１６から折欠部１５を折り取ることで、ガラス管１２に開口部１７が形成される。
【００１４】
ガラス管１２の内部には、担体１８が収納されており、この担体１８には、標準ガスの物質成分である複数種類の有機溶剤が担持されている。
【００１５】
担体１８は、具体的にはシリカゲル又はアルミナ等であって、この担体１８にそれぞれの有機溶剤を例えば５mmＬ程度を担持させる。
【００１６】
担体１８の両端部には、隔壁材１９、２０が配設されており、これによって担体１８の安定的な保持を確保している。隔壁材１９、２０は、具体的にはプラスチック又はセラミック素材等である。
【００１７】
また、担体１８の少なくとも一方の端部の隔壁材１９は、図示しない多数の通気孔が形成されており通気性を有する。その結果、隔壁材１９から標準ガスがスムーズに拡散される。
【００１８】
次に、標準ガス供給管１１の使用方法について説明する。まず、折欠部１５を折り目１６から手で折り欠いて、ガラス管１２に開口部１７を形成する（図２参照）。そして、開口部１７をセプタム２１で施蓋する（図３参照）。次に、セプタム２１の上部からシリンジ２２の針２３を刺してガラス管１２の内部に刺入する（図４参照）。シリンジ２２でガラス管１２の内部の気体を０．１〜１mmＬの範囲で採取する。
【００１９】
有機溶剤は、物質の飽和蒸気圧曲線から推算が可能であり、保持時間の確認や検量線の作成等の現場における校正が可能である。従って、実使用的には、現場の温度を測定して、メーカーで確認された温度と濃度との対照表で対照して、気体のガス濃度を読み取ればよい。一例を上げれば、トルエンの場合は、大気圧１０１３ｈｐａ、０℃：０．９％、２０℃：２．８％である。
【００２０】
なお、目的とする濃度に応じてテドラバッグ等で希釈して濃度調製をすることも可能であり、この場合は特別の専門知識が不要である。
【００２１】
シリンジ２２で気体を採取したガラス管１２は、内部の溶剤が完全に揮発するまで約２４時間程度掛かるので、気体の採取は複数回繰り返し行える。また、有害物質の含有量が極めて少ないので、廃棄の際等には環境に対する負荷が少ないという利点もある。
【００２２】
以上説明したように、従来は高圧ボンベ等を使用して事前に事業所やラボで行っていたガス校正作業が現場で可能になった。これによって、分析機器の故障の有無の確認や校正作業、製品納入時の性能検査等を行うことができるので、結果的に測定に係る時間的、人的コストが削減できることとなる。
【産業上の利用可能性】
【００２３】
本発明の標準ガス供給管１１による標準ガスは、ガスクロマトグラフ分析装置やセンサなどの計測器等の校正に使用される他には、ガス警報器の校正、有害ガス除外装置の性能評価、生成・反応機構・環境中挙動の研究等の様々な用途に用いることができる。
【図面の簡単な説明】
【００２４】
【図１】本発明に係る標準ガス供給管１１の正面図である。
【図２】折欠部１５を折り欠いた状態の説明図である。
【図３】開口部１７をセプタム２１で施蓋した状態の説明図である。
【図４】シリンジ２２の針２３をガラス管１２の内部に刺入した状態の説明図である。
【符号の説明】
【００２５】
１１  標準ガス供給管
１２  ガラス管
１３、１４  端部
１５  折欠部
１６  折り目
１７  開口部
１８  担体
１９、２０  隔壁材
２１  セプタム
２２  シリンジ
２３  針
【図１】
2010101685.tif 000003
【図２】
2010101685.tif 000004
【図３】
2010101685.tif 000005
【図４】
2010101685.tif 000006